(57)【特許請求の範囲】
【請求項１】
地上デジタル放送の規格で規定されているシングルキャリア方式又はマルチキャリア方式のいずれか一方の方式で変調された信号を受信する受信手段と、
受信信号に対して、シングルキャリア方式に基づいたシングルキャリア復調を行うシングルキャリア復調手段と、
受信信号に対して、マルチキャリア方式に基づいたマルチキャリア復調を行うマルチキャリア復調手段と、
あらかじめ定められた最初に復調を試すキャリア方式にしたがって、前記受信信号に対して、前記シングルキャリア復調又は前記マルチキャリア復調のいずれか一方が最初に試行されるように制御する復調制御手段と
を備える受信装置。
【請求項２】
前記復調制御手段は、あらかじめ定められた各キャリア方式における試行回数にしたがって、前記シングルキャリア復調又は前記マルチキャリア復調が、各キャリア方式ごとに前記試行回数ずつ繰り返し試行されるようにする
請求項１に記載の受信装置。
【請求項３】
前記復調制御手段は、前記シングルキャリア復調と前記マルチキャリア復調の試行回数が、あらかじめ定められた所定の回数を超えた場合、復調の試行が中止されるようにする
請求項２に記載の受信装置。
【請求項４】
前記復調制御手段は、あらかじめ定められた全試行回数に対する各キャリア方式における試行回数の割合にしたがって、前記シングルキャリア復調又は前記マルチキャリア復調が、前記割合に応じて試行されるようにする
請求項１に記載の受信装置。
【請求項５】
前記復調制御手段は、前記シングルキャリア復調と前記マルチキャリア復調の試行回数が、あらかじめ定められた最大試行回数を超えた場合、復調の試行が中止されるようにする
請求項４に記載の受信装置。
【請求項６】
前記地上デジタル放送の規格は、DTMB（Digital Terrestrial Multimedia Broadcast）規格である
請求項１に記載の受信装置。
【請求項７】
前記復調制御手段は、前記シングルキャリア復調又は前記マルチキャリア復調のいずれか一方の試行が成功した場合、前記シングルキャリア復調手段又は前記マルチキャリア復調手段の出力のうち、復調の試行に成功した一方の出力が後段に出力されるようにする
請求項１に記載の受信装置。
【請求項８】
前記シングルキャリア復調手段と前記マルチキャリア復調手段は、
前記シングルキャリア復調手段と前記マルチキャリア復調手段における共通の復調処理を行う共通復調フロントエンド手段と、
前記シングルキャリア復調手段における固有の復調処理を行うシングルキャリア復調バックエンド手段と、
前記マルチキャリア復調手段における固有の復調処理を行うマルチキャリア復調バックエンド手段と
から構成される
請求項７に記載の受信装置。
【請求項９】
受信装置が、
地上デジタル放送の規格で規定されているシングルキャリア方式又はマルチキャリア方式のいずれか一方の方式で変調された信号を受信し、
受信信号に対して、シングルキャリア方式に基づいたシングルキャリア復調を行い、
受信信号に対して、マルチキャリア方式に基づいたマルチキャリア復調を行い、
あらかじめ定められた最初に復調を試すキャリア方式にしたがって、前記受信信号に対して、前記シングルキャリア復調又は前記マルチキャリア復調のいずれか一方が最初に試行されるように制御する
ステップを含む受信方法。
【請求項１０】
地上デジタル放送の規格で規定されているシングルキャリア方式又はマルチキャリア方式のいずれか一方の方式で変調された信号を受信する受信手段と、
受信信号に対して、シングルキャリア方式に基づいたシングルキャリア復調を行うシングルキャリア復調手段と、
受信信号に対して、マルチキャリア方式に基づいたマルチキャリア復調を行うマルチキャリア復調手段と、
あらかじめ定められた最初に復調を試すキャリア方式にしたがって、前記受信信号に対して、前記シングルキャリア復調又は前記マルチキャリア復調のいずれか一方が最初に試行されるように制御する復調制御手段と
して、コンピュータを機能させるためのプログラム。
【請求項１１】
地上デジタル放送の規格で規定されているシングルキャリア方式又はマルチキャリア方式のいずれか一方の方式で変調された受信信号に対して、シングルキャリア方式に基づいたシングルキャリア復調を行うシングルキャリア復調手段と、
前記受信信号に対して、マルチキャリア方式に基づいたマルチキャリア復調を行うマルチキャリア復調手段と、
あらかじめ定められた最初に復調を試すキャリア方式にしたがって、前記受信信号に対して、前記シングルキャリア復調又は前記マルチキャリア復調のいずれか一方が最初に試行されるように制御する復調制御手段と
を備える復調装置。
【請求項１２】
前記復調制御手段は、あらかじめ定められた各キャリア方式における試行回数にしたがって、前記シングルキャリア復調又は前記マルチキャリア復調が、各キャリア方式ごとに前記試行回数ずつ繰り返し試行されるようにする
請求項１１に記載の復調装置。
【請求項１３】
前記復調制御手段は、前記シングルキャリア復調と前記マルチキャリア復調の試行回数が、あらかじめ定められた所定の回数を超えた場合、復調の試行が中止されるようにする
請求項１２に記載の復調装置。
【請求項１４】
前記復調制御手段は、あらかじめ定められた全試行回数に対する各キャリア方式における試行回数の割合にしたがって、前記シングルキャリア復調又は前記マルチキャリア復調が、前記割合に応じて試行されるようにする
請求項１１に記載の復調装置。
【請求項１５】
前記復調制御手段は、前記シングルキャリア復調と前記マルチキャリア復調の試行回数が、あらかじめ定められた所定の回数を超えた場合、復調の試行が中止されるようにする
請求項１４に記載の復調装置。
【請求項１６】
前記地上デジタル放送の規格は、DTMB規格である
請求項１１に記載の受信装置。
【請求項１７】
前記復調制御手段は、前記シングルキャリア復調又は前記マルチキャリア復調のいずれか一方の試行が成功した場合、前記シングルキャリア復調手段又は前記マルチキャリア復調手段の出力のうち、復調の試行に成功した一方の出力が後段に出力されるようにする
請求項１１に記載の復調装置。
【請求項１８】
前記シングルキャリア復調手段と前記マルチキャリア復調手段は、
前記シングルキャリア復調手段と前記マルチキャリア復調手段における共通の復調処理を行う共通復調フロントエンド手段と、
前記シングルキャリア復調手段における固有の復調処理を行うシングルキャリア復調バックエンド手段と、
前記マルチキャリア復調手段における固有の復調処理を行うマルチキャリア復調バックエンド手段と
から構成される
請求項１７に記載の復調装置。
【請求項１９】
復調装置が、
地上デジタル放送の規格で規定されているシングルキャリア方式又はマルチキャリア方式のいずれか一方の方式で変調された受信信号に対して、シングルキャリア方式に基づいたシングルキャリア復調を行い、
前記受信信号に対して、マルチキャリア方式に基づいたマルチキャリア復調を行い、
あらかじめ定められた最初に復調を試すキャリア方式にしたがって、前記受信信号に対して、前記シングルキャリア復調又は前記マルチキャリア復調のいずれか一方が最初に試行されるように制御する
ステップを含む復調方法。
【請求項２０】
地上デジタル放送の規格で規定されているシングルキャリア方式又はマルチキャリア方式のいずれか一方の方式で変調された受信信号に対して、シングルキャリア方式に基づいたシングルキャリア復調を行うシングルキャリア復調手段と、
前記受信信号に対して、マルチキャリア方式に基づいたマルチキャリア復調を行うマルチキャリア復調手段と、
あらかじめ定められた最初に復調を試すキャリア方式にしたがって、前記受信信号に対して、前記シングルキャリア復調又は前記マルチキャリア復調のいずれか一方が最初に試行されるように制御する復調制御手段と
して、コンピュータを機能させるためのプログラム。
【発明の詳細な説明】
【技術分野】
【０００１】
本発明は、受信装置及び方法、復調装置及び方法、並びにプログラムに関し、特に、キャリア方式を確実に検出することができるようにした受信装置及び方法、復調装置及び方法、並びにプログラムに関する。
【背景技術】
【０００２】
地上デジタル放送の規格としては、DTMB（Digital Terrestrial Multimedia Broadcast）等の規格がある（例えば特許文献１参照）。
【０００３】
DTMB規格では、データの変調方式として、シングルキャリア（C1）を使った変調方式とマルチキャリア（C3780）を使った変調方式のうちのいずれかを選択することができるようになされている。そのため、DTMB規格に対応した受信装置には、シングルキャリアを使った変調方式で伝送されてきたデータを復調するための機能と、マルチキャリアを使った変調方式で伝送されてきたデータを復調するための機能が用意される。
【先行技術文献】
【特許文献】
【０００４】
【特許文献１】特開２００９−６５６７３号公報
【発明の概要】
【発明が解決しようとする課題】
【０００５】
DTMBの規格では、シングルキャリア伝送とマルチキャリア伝送のキャリア方式を判別するための信号が、DTMB規格のフレームを構成するボディ部のシステム情報（SI：System Information）に含まれている。この信号は、４ビットという短いビット列で表されているため、マルチパスなどの受信が難しい環境においては、そのビット列が誤って検出される可能性がある。
【０００６】
そのため、このような誤検出を回避して、確実に、キャリア方式を検出する方法が要求されていた。
【０００７】
本発明はこのような状況に鑑みてなされたものであり、シングルキャリア方式又はマルチキャリア方式のいずれか一方の方式で変調され、伝送されてきた信号のキャリア方式を、確実に検出することができるようにするものである。
【課題を解決するための手段】
【０００８】
本発明の第１の側面の受信装置は、地上デジタル放送の規格で規定されているシングルキャリア方式又はマルチキャリア方式のいずれか一方の方式で変調された信号を受信する受信手段と、受信信号に対して、シングルキャリア方式に基づいたシングルキャリア復調を行うシングルキャリア復調手段と、受信信号に対して、マルチキャリア方式に基づいたマルチキャリア復調を行うマルチキャリア復調手段と、あらかじめ定められた最初に復調を試すキャリア方式にしたがって、前記受信信号に対して、前記シングルキャリア復調又は前記マルチキャリア復調のいずれか一方が最初に試行されるように制御する復調制御手段とを備える。
【００１０】
前記復調制御手段は、あらかじめ定められた各キャリア方式における試行回数にしたがって、前記シングルキャリア復調又は前記マルチキャリア復調が、各キャリア方式ごとに前記試行回数ずつ繰り返し試行されるようにする。
【００１１】
前記復調制御手段は、前記シングルキャリア復調と前記マルチキャリア復調の試行回数が、あらかじめ定められた所定の回数を超えた場合、復調の試行が中止されるようにする。
【００１２】
前記復調制御手段は、あらかじめ定められた全試行回数に対する各キャリア方式における試行回数の割合にしたがって、前記シングルキャリア復調又は前記マルチキャリア復調が、前記割合に応じて試行されるようにする。
【００１３】
前記復調制御手段は、前記シングルキャリア復調と前記マルチキャリア復調の試行回数が、あらかじめ定められた最大試行回数を超えた場合、復調の試行が中止されるようにする。
前記地上デジタル放送の規格は、DTMB（Digital Terrestrial Multimedia Broadcast）規格であるようにすることができる。
【００１４】
前記復調制御手段は、前記シングルキャリア復調又は前記マルチキャリア復調のいずれか一方の試行が成功した場合、前記シングルキャリア復調手段又は前記マルチキャリア復調手段の出力のうち、復調の試行に成功した一方の出力が後段に出力されるようにする。
【００１５】
前記シングルキャリア復調手段と前記マルチキャリア復調手段は、前記シングルキャリア復調手段と前記マルチキャリア復調手段における共通の復調処理を行う共通復調フロントエンド手段と、前記シングルキャリア復調手段における固有の復調処理を行うシングルキャリア復調バックエンド手段と、前記マルチキャリア復調手段における固有の復調処理を行うマルチキャリア復調バックエンド手段とから構成される。
【００１６】
本発明の第１の側面の受信方法は、受信装置が、地上デジタル放送の規格で規定されているシングルキャリア方式又はマルチキャリア方式のいずれか一方の方式で変調された信号を受信し、受信信号に対して、シングルキャリア方式に基づいたシングルキャリア復調を行い、受信信号に対して、マルチキャリア方式に基づいたマルチキャリア復調を行い、あらかじめ定められた最初に復調を試すキャリア方式にしたがって、前記受信信号に対して、前記シングルキャリア復調又は前記マルチキャリア復調のいずれか一方が最初に試行されるように制御するステップを含む。
【００１７】
本発明の第１の側面のプログラムは、地上デジタル放送の規格で規定されているシングルキャリア方式又はマルチキャリア方式のいずれか一方の方式で変調された信号を受信する受信手段と、受信信号に対して、シングルキャリア方式に基づいたシングルキャリア復調を行うシングルキャリア復調手段と、受信信号に対して、マルチキャリア方式に基づいたマルチキャリア復調を行うマルチキャリア復調手段と、あらかじめ定められた最初に復調を試すキャリア方式にしたがって、前記受信信号に対して、前記シングルキャリア復調又は前記マルチキャリア復調のいずれか一方が最初に試行されるように制御する復調制御手段として、コンピュータを機能させる。
【００１８】
本発明の第１の側面の受信装置及び方法、並びにプログラムにおいては、地上デジタル放送の規格で規定されているシングルキャリア方式又はマルチキャリア方式のいずれか一方の方式で変調された信号が受信され、受信信号に対して、シングルキャリア方式に基づいたシングルキャリア復調が行われ、受信信号に対して、マルチキャリア方式に基づいたマルチキャリア復調が行われ、あらかじめ定められた最初に復調を試すキャリア方式にしたがって、受信信号に対して、シングルキャリア復調又はマルチキャリア復調のいずれか一方が最初に試行されるように制御される。
【００１９】
本発明の第２の側面の復調装置は、地上デジタル放送の規格で規定されているシングルキャリア方式又はマルチキャリア方式のいずれか一方の方式で変調された受信信号に対して、シングルキャリア方式に基づいたシングルキャリア復調を行うシングルキャリア復調手段と、前記受信信号に対して、マルチキャリア方式に基づいたマルチキャリア復調を行うマルチキャリア復調手段と、あらかじめ定められた最初に復調を試すキャリア方式にしたがって、前記受信信号に対して、前記シングルキャリア復調又は前記マルチキャリア復調のいずれか一方が最初に試行されるように制御する復調制御手段とを備える。
【００２１】
前記復調制御手段は、あらかじめ定められた各キャリア方式における試行回数にしたがって、前記シングルキャリア復調又は前記マルチキャリア復調が、各キャリア方式ごとに前記試行回数ずつ繰り返し試行されるようにする。
【００２２】
前記復調制御手段は、前記シングルキャリア復調と前記マルチキャリア復調の試行回数が、あらかじめ定められた所定の回数を超えた場合、復調の試行が中止されるようにする。
【００２３】
前記復調制御手段は、あらかじめ定められた全試行回数に対する各キャリア方式における試行回数の割合にしたがって、前記シングルキャリア復調又は前記マルチキャリア復調が、前記割合に応じて試行されるようにする。
【００２４】
前記復調制御手段は、前記シングルキャリア復調と前記マルチキャリア復調の試行回数が、あらかじめ定められた所定の回数を超えた場合、復調の試行が中止されるようにする。
前記地上デジタル放送の規格は、DTMB規格であるようにすることができる。
【００２５】
前記復調制御手段は、前記シングルキャリア復調又は前記マルチキャリア復調のいずれか一方の試行が成功した場合、前記シングルキャリア復調手段又は前記マルチキャリア復調手段の出力のうち、復調の試行に成功した一方の出力が後段に出力されるようにする。
【００２６】
前記シングルキャリア復調手段と前記マルチキャリア復調手段は、前記シングルキャリア復調手段と前記マルチキャリア復調手段における共通の復調処理を行う共通復調フロントエンド手段と、前記シングルキャリア復調手段における固有の復調処理を行うシングルキャリア復調バックエンド手段と、前記マルチキャリア復調手段における固有の復調処理を行うマルチキャリア復調バックエンド手段とから構成される。
【００２７】
本発明の第２の側面の復調方法は、復調装置が、地上デジタル放送の規格で規定されているシングルキャリア方式又はマルチキャリア方式のいずれか一方の方式で変調された受信信号に対して、シングルキャリア方式に基づいたシングルキャリア復調を行い、前記受信信号に対して、マルチキャリア方式に基づいたマルチキャリア復調を行い、あらかじめ定められた最初に復調を試すキャリア方式にしたがって、前記受信信号に対して、前記シングルキャリア復調又は前記マルチキャリア復調のいずれか一方が最初に試行されるように制御するステップを含む。
【００２８】
本発明の第２の側面のプログラムは、地上デジタル放送の規格で規定されているシングルキャリア方式又はマルチキャリア方式のいずれか一方の方式で変調された受信信号に対して、シングルキャリア方式に基づいたシングルキャリア復調を行うシングルキャリア復調手段と、前記受信信号に対して、マルチキャリア方式に基づいたマルチキャリア復調を行うマルチキャリア復調手段と、あらかじめ定められた最初に復調を試すキャリア方式にしたがって、前記受信信号に対して、前記シングルキャリア復調又は前記マルチキャリア復調のいずれか一方が最初に試行されるように制御する復調制御手段として、コンピュータを機能させる。
【００２９】
本発明の第２の側面の復調装置及び方法、並びにプログラムにおいては、地上デジタル放送の規格で規定されているシングルキャリア方式又はマルチキャリア方式のいずれか一方の方式で変調された受信信号に対して、シングルキャリア方式に基づいたシングルキャリア復調が行われ、受信信号に対して、マルチキャリア方式に基づいたマルチキャリア復調が行われ、あらかじめ定められた最初に復調を試すキャリア方式にしたがって、受信信号に対して、シングルキャリア復調又はマルチキャリア復調のいずれか一方が最初に試行されるように制御される。
【発明の効果】
【００３０】
本発明によれば、キャリア方式を確実に検出することができる。
【図面の簡単な説明】
【００３１】
【図１】本発明を適用した受信装置の一実施の形態の構成を示す図である。
【図２】復調処理部の構成（第１の構成）を示す図である。
【図３】第１の復調試行処理を示すフローチャートである。
【図４】第２の復調試行処理を示すフローチャートである。
【図５】復調処理部の構成（第２の構成）を示す図である。
【図６】復調処理部の構成（第３の構成）を示す図である。
【図７】コンピュータのハードウェアの構成例を示す図である。
【発明を実施するための形態】
【００３２】
以下、本発明を実施するための形態（以下、実施の形態という）について説明する。なお、説明は以下の順序で行う。
１．第１の実施の形態
２．第２の実施の形態
３．第３の実施の形態
４．第４の実施の形態
５．変形例
【００３３】
＜１．第１の実施の形態＞
［受信装置の構成］
図１は、本発明を適用した受信装置の一実施の形態の構成を示す図である。
【００３４】
受信装置１は、例えば、地上デジタル放送の規格であるDTMB規格に対応した受信装置である。受信装置１は、アンテナ１１、チューナ１２、復調部１３、誤り訂正部１４、デコーダ１５、及び出力部１６から構成される。また、受信装置１には、受信装置１の各部の動作を制御するコントローラ１０が含まれる。
【００３５】
アンテナ１１は、放送局などの送信装置２から、伝搬路を介して伝送されてくるRF信号を受信し、チューナ１２に供給する。
【００３６】
チューナ１２は、アンテナ１１により受信されたRF信号を周波数変換する。RF信号に対して周波数変換を施すことで得られたIF信号は、復調部１３に供給される。
【００３７】
復調部１３は、チューナ１２から供給される信号に対してA/D変換を施した後、同期処理や等化処理等の所定の復調処理を行い、その結果得られるデータを、誤り訂正部１４に供給する。
【００３８】
誤り訂正部１４は、復調部１３から供給されるデータに対して、所定の誤り訂正処理を施し、その結果得られる符号化データを、デコーダ１５に供給する。
【００３９】
デコーダ１５は、誤り訂正部１４から供給される符号化データを、例えばMPEGデコードし、その結果得られる画像や音声のデータを、出力部１６に供給する。
【００４０】
出力部１６は、表示装置やスピーカなどで構成される。表示装置は、デコーダ１５から供給される画像データに対応して画像を表示し、スピーカは、音声データに対応して音声を出力する。
【００４１】
以上のようにして、受信装置１は構成される。
【００４２】
［復調処理部の構成（第１の構成）］
次に、図２を参照して、図１の受信装置１を構成する各部のうち、復調処理に関係するコントローラ１０、復調部１３、及び誤り訂正部１４（以下、これらの復調処理に関係する各部をまとめて、復調処理部という）の詳細な構成を説明する。
【００４３】
図２に示すように、コントローラ１０は、復調制御部３１、パラメータ記憶部３２、SIロック判定部３３、TSロック判定部３４、及びセレクタ３５を含むようにして構成される。
【００４４】
パラメータ記憶部３２には、復調制御部３１によって、シングルキャリア方式に基づいたシングルキャリア復調又はマルチキャリア方式に基づいたマルチキャリア復調のいずれか一方を、所定の規則にしたがって試行させるための各種のパラメータが記憶されている。このパラメータの詳細については後述するが、パラメータ記憶部３２には、例えば、最初に復調を試すキャリア方式の種類や、シングルキャリア復調とマルチキャリア復調の試行回数などがパラメータとして記憶される。
【００４５】
復調制御部３１は、パラメータ記憶部３２に記憶されたパラメータを取得する。復調制御部３１は、パラメータ記憶部３２から取得した各種のパラメータにより定められる所定の規則にしたがって、復調部１３により実行されるシングルキャリア復調又はマルチキャリア復調のうち、いずれか一方の復調が試行されるように制御する。
【００４６】
復調部１３は、切替部４１、シングルキャリア復調部４２−１、及びマルチキャリア復調部４２−２から構成される。
【００４７】
切替部４１は、チューナ１２から供給された入力信号の出力先を、復調制御部３１による制御にしたがって切り替える。すなわち、切替部４１は、シングルキャリア復調を試行する場合、スイッチ４１Ａを端子４１Ｂ側に接続し、チューナ１２からの入力信号を、シングルキャリア復調部４２−１に出力する。また、切替部４１は、マルチキャリア復調を試行する場合、スイッチ４１Ａを端子４１Ｃ側に接続し、チューナ１２からの入力信号を、マルチキャリア復調部４２−２に出力する。
【００４８】
シングルキャリア復調部４２−１は、切替部４１から供給された入力信号に対して、復調制御部３１の制御にしたがって、シングルキャリア方式に基づいたシングルキャリア復調を行い、それにより得られたデータを、誤り訂正部１４に出力する。また、シングルキャリア復調部４２−１は、シングルキャリア復調の試行が成功した場合、その復調が成功して、シングルキャリア方式にロックしたことを示す信号（以下、SI（System Information）ロック信号という）を、SIロック判定部３３に供給する。
【００４９】
マルチキャリア復調部４２−２は、切替部４１から供給された入力信号に対して、復調制御部３１の制御にしたがって、マルチキャリア方式に基づいたマルチキャリア復調を行い、それにより得られたデータを、誤り訂正部１４に出力する。また、マルチキャリア復調部４２−２は、マルチキャリア復調の試行が成功した場合、その復調が成功して、マルチキャリア方式にロックしたことを示すSIロック信号を、SIロック判定部３３に供給する。
【００５０】
なお、マルチキャリア方式でデータを伝送するマルチキャリア伝送にOFDM方式が用いられている場合、マルチキャリア復調部４２−２に対しては、チューナ１２の出力を対象として、不図示の処理部において行われた直交復調によって得られたベースバンドのOFDM信号が、入力信号として入力される。
【００５１】
SIロック判定部３３には、シングルキャリア復調部４２−１又はマルチキャリア復調部４２−２のいずれか一方から、SIロック信号が入力される。SIロック判定部３３は、SIロック信号が入力された場合、入力されたSIロック信号に応じたキャリア方式を判定し、その結果を示す信号（以下、SIロック判定信号という）を、セレクタ３５に供給する。
【００５２】
誤り訂正部１４は、共通後段部５１−１、共通後段部５１−２、及びセレクタ５２から構成される。
【００５３】
共通後段部５１−１には、シングルキャリア復調部４２−１からシングルキャリア復調により得られるデータが供給される。共通後段部５１−１は、シングルキャリア復調部４２−１からの復調されたデータに対して、FEC（Forward Error Correction）などの所定の誤り訂正処理を施し、それにより得られた符号化データをセレクタ５２に出力する。
【００５４】
なお、送信装置２（図１）においては、例えば、番組としての画像や音声などのデータが、MPEG（Moving Picture Experts Group）エンコードされ、そのMPEGエンコードデータが含まれるパケットで構成される信号が送信される。また、送信装置２においては、伝搬路上で生じる誤りに対する対策として、データが、RS（Reed Solomon）符号などの符号に符号化される。したがって、共通後段部５１−１においては、誤り訂正処理として、その符号を復号する処理などが行われ、それにより得られるTS（Transport Stream）が出力される。
【００５５】
また、共通後段部５１−１は、誤り訂正処理が成功した場合、その処理が成功して、シングルキャリア方式にロックしたことを示す信号（以下、TS（Transport Stream）ロック信号という）を、TSロック判定部３４に供給する。
【００５６】
共通後段部５１−２には、マルチキャリア復調部４２−２からマルチキャリア復調により得られるデータが供給される。共通後段部５１−２は、マルチキャリア復調部４２−２からの復調されたデータに対して、誤り訂正等の処理を施し、それにより得られた符号化データをセレクタ５２に出力する。また、共通後段部５１−２は、誤り訂正等の処理が成功した場合、その処理が成功して、マルチキャリア方式にロックしたことを示すTSロック信号を、TSロック判定部３４に供給する。
【００５７】
TSロック判定部３４には、共通後段部５１−１又は共通後段部５１−２のいずれか一方から、TSロック信号が入力される。TSロック判定部３４は、TSロック信号が入力された場合、入力されたTSロック信号に応じたキャリア方式を判定し、その結果を示す信号（以下、TSロック判定信号という）を、セレクタ３５に供給する。
【００５８】
セレクタ３５には、SIロック判定部３３からのSIロック判定信号と、TSロック判定部３４からのTSロック判定信号が供給される。セレクタ３５にはまた、復調制御部３１から、SIロック判定信号とTSロック判定信号のいずれか一方を優先して選択させるための信号（以下、判定選択信号という）が供給される。
【００５９】
セレクタ３５は、復調制御部３１から供給される判定選択信号に応じて、SIロック判定信号又はTSロック判定信号のいずれか一方の判定信号を選択する。セレクタ３５は、選択された判定信号に応じてキャリア方式を選択させるための信号（以下、キャリア選択信号という）を、復調制御部３１及びセレクタ５２に供給する。
【００６０】
セレクタ５２は、セレクタ３５から供給されるキャリア選択信号に応じて、共通後段部５１−１又は共通後段部５１−２の出力のうち、ロックした方のキャリア方式、すなわち、復調の試行に成功した一方の出力（例えばTS出力）を、後段のデコーダ１５に出力する。
【００６１】
また、一方のキャリア方式により復調の試行が成功した場合、キャリア選択信号が、セレクタ３５から復調制御部３１に供給されるので、復調制御部３１によって、キャリア選択信号に応じたキャリア方式での復調が制御される。すなわち、復調制御部３１は、キャリア選択信号がシングルキャリア方式を示している場合、切替部４１によって、スイッチ４１Ａを端子４１Ｂ側に接続させて、チューナ１２からの入力信号が、シングルキャリア復調部４２−１に出力されるようにする。これにより、シングルキャリア復調部４２−１では、シングルキャリア方式で変調されたシングルキャリア信号に対して、シングルキャリア復調が行われる。
【００６２】
一方、セレクタ３５からのキャリア選択信号がマルチキャリア方式を示している場合、復調制御部３１は、切替部４１によって、スイッチ４１Ａを端子４１Ｃ側に接続させて、チューナ１２からの入力信号が、マルチキャリア復調部４２−２に出力されるようにする。これにより、マルチキャリア復調部４２−２では、マルチキャリア方式で変調されたマルチキャリア信号に対して、マルチキャリア復調が行われる。
【００６３】
以上のようにして、復調処理部は構成される。
【００６４】
［第１の復調試行処理］
次に、図３のフローチャートを参照して、コントローラ１０の制御にしたがって、復調部１３により実行される第１の復調試行処理について説明する。
【００６５】
なお、第１の復調試行処理においては、C_next（復調を試行するキャリア方式の種類）と、N（カウンタ）が変数として用いられる。また、第１の復調試行処理では、あらかじめ設定された各種のパラメータを用いた処理が実行されるが、そのパラメータとしては、例えば、次に示す３種類のパラメータが変更可能に設定される。
【００６６】
C_start：最初に復調を試すキャリア方式の種類
C1_max：シングルキャリア復調（以下、C1復調ともいう）の試行回数
C3780_max：マルチキャリア復調（以下、C3780復調ともいう）の試行回数
【００６７】
受信装置１において、各チャネルのスキャンが実行され、図３の第１の復調試行処理が開始されると、復調制御部３１は、パラメータ記憶部３２に記憶されたパラメータを読み出す。そして、復調制御部３１は、パラメータの初期化として、C_nextに、あらかじめ設定されたC_startの値を代入し（ステップＳ１１）、さらに、カウンタNを0に初期化する（ステップＳ１２）。続いて、ステップＳ１３において、復調制御部３１は、C_nextに、C_startとして代入された値が、C1（シングルキャリア）であるか否かを判定する。
【００６８】
ステップＳ１３において、C_nextに代入された値が、C1であると判定された場合、処理は、ステップＳ１４に進み、シングルキャリア復調部４２−１によって、シングルキャリア復調が試行される。また、シングルキャリア復調が試行されると、復調制御部３１によって、カウンタNがインクリメントされる（ステップＳ１５）。
【００６９】
ステップＳ１６において、復調制御部３１は、セレクタ３５からのキャリア選択信号に基づいて、復調ロックがかかっているか否かを判定する。ステップＳ１６において、復調ロックがかかっていないと判定された場合、処理は、ステップＳ１７に進む。
【００７０】
なお、復調ロックとは、先に述べたシングルキャリア復調又はマルチキャリア復調の試行によりキャリア方式が検出され、シングルキャリア復調又はマルチキャリア復調のいずれか一方の復調にロックがかかっている状態をいう。つまり、この復調ロックは、SIロック信号やTSロック信号によって定まるものであり、復調ロックがかかることで、伝送されてきた信号のキャリア方式が検出されたことになるので、図３の復調試行処理が終了される。
【００７１】
ステップＳ１７において、復調制御部３１は、カウンタNが、C1_maxに到達したか否かを判定する。ステップＳ１７において、カウンタNがC1_maxに到達していないと判定された場合、ステップＳ１４に戻り、復調ロックがかかっていると判定されるか（ステップＳ１６の「Yes」）、あるいは、カウンタNがC1_maxに到達したと判定されるまで（ステップＳ１７の「Yes」）、ステップＳ１４乃至Ｓ１７が繰り返される。
【００７２】
ステップＳ１４乃至Ｓ１７が繰り返されることで、カウンタNをインクリメントしながら、シングルキャリア復調が試行され、ステップＳ１６において、復調ロックがかかっていると判定された場合、シングルキャリア復調の試行によって、復調が成功したことになる。すなわち、この場合、伝送されてきた信号のキャリア方式として、シングルキャリア方式が検出されたことになるので、図３の第１の復調試行処理は終了する。
【００７３】
一方、ステップＳ１７において、カウンタNがC1_maxに到達したと判定された場合、処理は、ステップＳ１８に進む。ステップＳ１８において、復調制御部３１によって、C_nextに、C3780（マルチキャリア）が代入されると、処理は、ステップＳ１２に戻り、カウンタNが0に初期化される（ステップＳ１２）。
【００７４】
そして、再度、ステップＳ１３において、C_nextに代入された値が、C1であるか否かが判定され、今度は、C3780がC_nextに代入されているので（ステップＳ１３の「No」）、処理は、ステップＳ１９に進み、マルチキャリア復調部４２−２によって、マルチキャリア復調が試行される。また、マルチキャリア復調が試行されると、復調制御部３１によって、カウンタNがインクリメントされる（ステップＳ２０）。
【００７５】
ステップＳ２１において、復調制御部３１は、復調ロックがかかっているか否かを判定する。ステップＳ２１において、復調ロックがかかっていないと判定された場合、処理は、ステップＳ２２に進む。
【００７６】
ステップＳ２２において、復調制御部３１が、カウンタNが、C3780_maxに到達したか否かを判定する。ステップＳ２２において、カウンタNがC3780_maxに到達していないと判定された場合、ステップＳ１９に戻り、復調ロックがかかっていると判定されるか（ステップＳ２１の「Yes」）、あるいは、カウンタNがC3780_maxに到達したと判定されるまで（ステップＳ２２の「Yes」）、ステップＳ１９乃至Ｓ２２が繰り返される。
【００７７】
ステップＳ１９乃至Ｓ２２が繰り返されることで、カウンタNをインクリメントしながら、マルチキャリア復調が試行され、ステップＳ２１において、復調ロックがかかっていると判定された場合、マルチキャリア復調の試行によって、復調が成功したことになる。すなわち、この場合、伝送されてきた信号のキャリア方式として、マルチキャリア方式が検出されたことになるので、図３の第１の復調試行処理は終了する。
【００７８】
一方、ステップＳ２２において、カウンタNがC3780_maxに到達したと判定された場合、処理は、ステップＳ２３に進む。ステップＳ２３において、復調制御部３１によって、C_nextに、C1が代入されると、処理は、ステップＳ１２に戻り、カウンタNが0に初期化される（ステップＳ１２）。
【００７９】
そして、再度、ステップＳ１３において、C_nextに代入された値が、C1であるか否かが判定され、今度は、C1がC_nextに代入されているので（ステップＳ１３の「Yes」）、処理は、ステップＳ１４に進み、シングルキャリア復調が試行される。また、カウンタNがC1_maxに到達するまでに、シングルキャリア復調を行っても復調ロックがかからず、復調に成功しない場合には、再度、C_nextにC3780が代入され、マルチキャリア復調が試行されることになる。
【００８０】
このように、シングルキャリア復調又はマルチキャリア復調の試行によって、復調ロックがかかるまで、シングルキャリア復調とマルチキャリア復調とが交互に、それぞれの試行回数分だけ繰り返し試行され、最終的に復調ロックがかかることで、図３の第１の復調試行処理は終了される。
【００８１】
ところで、C_start，C1_max，C3780_maxのパラメータを、任意の値に設定できることは先に述べたとおりであるが、以下、その具体例について説明する。
【００８２】
（１）C_startの設定
C_startは、シングルキャリア方式とマルチキャリア方式のうち、どちらのキャリア方式から復調を試行するかを設定するためのパラメータである。したがって、C_startとして、C1が設定された場合には、シングルキャリア復調が最初に試行され、C3780が設定された場合には、マルチキャリア復調が最初に試行される。
【００８３】
（１−１）C_start=C1が設定された場合
この場合、C1復調 → C3780復調 → C1復調→ C3780復調 → C1復調 → C3780復調→・・・のように、C1復調から開始された復調試行処理が、その後、C3780復調，C1復調の順に繰り返しながら試行される。
【００８４】
（１−２）C_start=C3780が設定された場合
この場合、C3780復調 → C1復調 → C3780復調 → C1復調 → C3780復調 → C1復調→・・・のように、C3780復調から開始された復調試行処理が、その後、C3780復調，C1復調の順に繰り返しながら試行される。
【００８５】
（２）C1_max，C3780_maxの設定
C1_maxは、C1復調の試行回数、C3780_maxは、C3780復調の試行回数を設定するためのパラメータである。
【００８６】
（２−１）C1_max=3，C3780_max=2，C_start=C1が設定された場合
この場合、C1復調 → C1復調 → C1復調 → C3780復調 → C3780復調 → C1復調→・・・のように、C1復調から開始された復調試行処理が、その後、C1復調を3回、C3780復調を2回という単位で繰り返される。
【００８７】
（３）その他
先に述べたパラメータとしては定義設定しなかったが、C1復調とC3780復調の試行回数の全試行回数に対する割合が設定されるようにしてもよい。例えば、C1復調の割合が6割、C3780復調の割合が4割と設定された場合、C1復調 → C1復調 → C3780復調 → C1復調 → C3780復調 → C1復調 → C1復調 → C3780復調 → C1復調 → C3780復調 →・・・のように試行される。すなわち、この場合、10回の全試行回数のうち、C1復調が6回試行され、C3780復調が4回試行される。
【００８８】
以上のように、第１の実施の形態においては、あらかじめ定められた所定の規則にしたがって、伝送されてきた信号に対して、シングルキャリア復調又はマルチキャリア復調が試行されることで、伝送されてきた信号のキャリア方式が検出される。すなわち、第１の実施の形態では、システム情報に含まれているビット列からキャリア方式を検出するのではなく、シングルキャリア復調とマルチキャリア復調を所定の規則にしたがって試行することで、キャリア方式が検出される。これにより、マルチパスなどの受信が難しい環境においても、所定の規則にしたがった復調の試行を繰り返すことで、キャリア方式を確実に検出することができる。
【００８９】
また、C_start，C1_max，C3780_maxや、C1復調とC3780復調の試行回数の全試行回数に対する割合などを設定することができるので、キャリア方式を確実に検出するのみならず、より柔軟にキャリア方式の検出を行うことができる。例えば、地域ごとに、キャリア方式の試行順序、試行回数をあらかじめテレビジョン受像機（受信装置）に登録しておいて、それを購入した視聴者が居住地域を選択した後のチャネルスキャンにおいて、登録しておいたその地域専用のキャリア方式の試行順序、試行回数でチャネルスキャンを行うといったことが可能になる。例えば、地上デジタル放送の規格として、DTMB規格を採用している中国などの広範囲な地域において、地域ごとにキャリア方式が異なる場合であっても、それらの地域ごとに適切なキャリア方式の試行順序、試行回数等を設定しておくことができる。これにより、全ての地域におけるキャリア方式の検出時間を短縮することができる。
【００９０】
＜２．第２の実施の形態＞
ところで、シングルキャリア復調とマルチキャリア復調の試行を一定回数実行したにもかかわらず、復調が成功しない場合があり、この場合、現在復調を試行している周波数帯には信号が存在しないこととなる。そこで、次に、復調を試行している周波数帯に信号が存在しない場合の復調試行処理について説明する。
【００９１】
［第２の復調試行処理］
図４は、コントローラ１０及び復調部１３により実行される第２の復調試行処理を示すフローチャートである。
【００９２】
なお、第２の復調試行処理においては、図３の第１の復調試行処理と同様に、C_next，Nが変数として用いられる他、さらに、M（カウンタ）が変数として用いられる。また、第２の復調試行処理では、図３の第１の復調試行処理と同様に、あらかじめ設定されたパラメータを用いた処理が実行されるが、先に述べたC_start，C1_max，C3780_maxの他に、C_max（最大試行回数）が変更可能に設定される。
【００９３】
受信装置１において、各チャネルのスキャンが実行され、図４の第２の復調試行処理が開始されると、復調制御部３１は、パラメータの初期化として、C_nextに、あらかじめ設定されたC_startの値を代入し、さらに、カウンタMを0に初期化する（ステップＳ３１）。そして、ステップＳ３２において、復調制御部３１は、カウンタMが、C_maxに到達したか否かを判定する。
【００９４】
ステップＳ３２において、カウンタMがC_maxに到達していないと判定された場合、ステップＳ３３において、復調制御部３１は、カウンタNを初期化し、さらに、カウンタMをインクリメントして、処理は、ステップＳ３４に進む。
【００９５】
ステップＳ３４乃至Ｓ３９においては、先に述べたステップＳ１３乃至Ｓ１８（図３）と同様に、カウンタNをインクリメントしながら、シングルキャリア復調が試行される。すなわち、復調ロックがかかっていると判定されるか（ステップＳ３７の「Yes」）、あるいは、カウンタNがC1_maxに到達したと判定されるまで（ステップＳ３８の「Yes」）、ステップＳ３５乃至Ｓ３８が繰り返される。
【００９６】
ステップＳ３５乃至Ｓ３８が繰り返されることで、カウンタNをインクリメントしながら、シングルキャリア復調が試行され、ステップＳ３７において、復調ロックがかかっていると判定された場合、シングルキャリア復調部４２−１によるシングルキャリア復調によって、復調が成功したことになる。すなわち、この場合、伝送されてきた信号のキャリア方式として、シングルキャリア方式が検出されたことになるので、図４の第２の復調試行処理は終了する。
【００９７】
一方、ステップＳ３８において、カウンタNがC1_maxに到達したと判定された場合、復調制御部３１によって、C_nextに、C3780が代入され（ステップＳ３９）、処理は、ステップＳ３２に戻る。
【００９８】
そして、再度、ステップＳ３２において、復調制御部３１は、シングルキャリア復調の試行に応じてインクリメントされたカウンタMが、C_maxに到達したか否かを判定する。ステップＳ３２において、カウンタMがC_maxに到達していないと判定された場合、復調制御部３１は、カウンタNを初期化し、さらに、カウンタMをインクリメントする（ステップＳ３３）。
【００９９】
続いて、ステップＳ３４において、C_nextに代入された値が、C1であるか否かが判定され、今度は、C3780がC_nextに代入されているので（ステップＳ３４の「No」）、処理は、ステップＳ４１に進む。
【０１００】
ステップＳ４１乃至Ｓ４５においては、先に述べたステップＳ１９乃至Ｓ２３（図３）と同様に、マルチキャリア復調が試行される。すなわち、復調ロックがかかっていると判定されるか（ステップＳ４３の「Yes」）、あるいは、カウンタNがC3780_maxに到達したと判定されるまで（ステップＳ４４の「Yes」）、ステップＳ４１乃至Ｓ４４が繰り返される。
【０１０１】
ステップＳ４１乃至Ｓ４４が繰り返されることで、カウンタNをインクリメントしながら、マルチキャリア復調が試行され、ステップＳ４３において、復調ロックがかかっていると判定された場合、マルチキャリア復調部４２−２によるマルチキャリア復調によって、復調が成功したことになる。すなわち、この場合、伝送されてきた信号のキャリア方式として、マルチキャリア方式が検出されたことになるので、図４の第２の復調試行処理は終了する。
【０１０２】
一方、ステップＳ４４において、カウンタNがC3780_maxに到達したと判定された場合、復調制御部３１によって、C_nextに、C1が代入され（ステップＳ４５）、処理は、ステップＳ３２に戻る。
【０１０３】
そして、再度、復調制御部３１によって、シングルキャリア復調の試行に応じてインクリメントされたカウンタMが、C_maxに到達したか否かが判定され（ステップＳ３２）、カウンタMがC_maxに到達していない場合、処理は、ステップＳ３３に進む。そして、復調制御部３１は、カウンタNを初期化し、さらに、カウンタMをインクリメントする（ステップＳ３３）。
【０１０４】
ステップＳ３４において、C_nextに代入された値が、C1であるか否かが判定され、今度は、C1がC_nextに代入されているので（ステップＳ３４の「Yes」）、処理は、ステップＳ３５に進み、シングルキャリア復調が試行される。また、カウンタNがC1_maxに到達するまでに、シングルキャリア復調を行っても復調ロックがかからず、復調に成功しない場合には、再度、C_nextにC3780が代入され、マルチキャリア復調が試行されることになる。
【０１０５】
このように、シングルキャリア復調又はマルチキャリア復調によって復調ロックがかかるまで、シングルキャリア復調とマルチキャリア復調とが交互に、それぞれの試行回数分だけ繰り返し試行されるが、カウンタMがC_maxに到達しても、復調ロックがかからなかった場合（ステップＳ３２の「Yes」）、処理は、ステップＳ４０に進む。
【０１０６】
ステップＳ４０において、復調制御部３１は、現在復調を試行している周波数帯に信号がないことを示すフラグを立てて、図４の第２の復調試行処理は終了される。すなわち、この場合、現在復調を試行している周波数帯には信号が存在しないので、続いて、復調制御部３１及び復調部１３によって、次の周波数帯に対する第２の復調試行処理が行われることになる。
【０１０７】
以上のように、第２の実施の形態では、復調を試行している周波数帯域に必ずしも信号が存在するとは限らないため、あらかじめ最大試行回数C_maxを定めて、シングルキャリア復調とマルチキャリア復調の試行回数が、所定の最大試行回数を超えた場合には、その周波数帯域の復調の試行を中止して、次の周波数帯域の復調の試行を開始する。これにより、ある周波数帯域の復調を、復調が成功したか失敗したかにかかわらず、一定時間内に終了させることができるので、結果として、キャリア方式を確実に検出するだけでなく、各周波数帯域におけるキャリア方式を迅速に検出することができる。
【０１０８】
＜３．第３の実施の形態＞
ところで、復調処理部は、図２に示した第１の構成以外の他の構成を採用することができる。そこで、次に、図５及び図６を参照して、復調処理部の他の構成について説明する。
【０１０９】
［復調処理部の構成（第２の構成）］
図５は、復調処理部の第２の構成を示す図である。
【０１１０】
なお、図５の復調処理部において、図２の復調処理部と同様の箇所には同一の符号が付してあり、その説明は適宜省略する。
【０１１１】
図５において、コントローラ１０には、図２のコントローラと比べて、SIロック判定部３３、TSロック判定部３４、及びセレクタ３５の代わりに、SIロック判定部３６が設けられている。また、復調部１３には、図２の復調部１３と比べて、シングルキャリア復調部４２−１とマルチキャリア復調部４２−２の後段に、セレクタ４３が追加されている。
【０１１２】
シングルキャリア復調部４２−１は、切替部４１から供給された入力信号に対して、復調制御部３１の制御にしたがってシングルキャリア復調を行い、それにより得られたデータを、セレクタ４３に出力する。
【０１１３】
マルチキャリア復調部４２−２は、切替部４１から供給された入力信号に対して、復調制御部３１の制御にしたがってマルチキャリア復調を行い、それにより得られたデータを、セレクタ４３に出力する。
【０１１４】
また、シングルキャリア復調部４２−１又はマルチキャリア復調部４２−２においては、復調の試行が成功した場合、その復調が成功したことを示すSIロック信号が、SIロック判定部３６に供給される。
【０１１５】
SIロック判定部３６には、シングルキャリア復調部４２−１又はマルチキャリア復調部４２−２のいずれか一方から、SIロック信号が入力される。SIロック判定部３６は、SIロック信号が入力された場合、入力されたSIロック信号に応じてキャリア方式を選択させるためのキャリア選択信号を、復調制御部３１及びセレクタ４３に供給する。
【０１１６】
セレクタ４３は、SIロック判定部３６から供給されるキャリア選択信号に応じて、シングルキャリア復調部４２−１又はマルチキャリア復調部４２−２の出力のうち、復調の試行に成功した一方の出力を、後段の誤り訂正部１４に出力する。
【０１１７】
誤り訂正部１４は、共通後段部５１から構成される。共通後段部５１は、セレクタ４３から供給されるシングルキャリア復調又はマルチキャリア復調により得られたデータに対して、FECなどの所定の誤り訂正処理を施し、それにより得られた符号化データを、後段のデコーダ１５に出力する。
【０１１８】
以上のように、第３の実施の形態では、セレクタ４３によって、シングルキャリア復調とマルチキャリア復調のうち、復調の試行が成功した一方のデータが、後段の誤り訂正部１４に出力される。そのため、誤り訂正部１４においては、シングルキャリア用とマルチキャリア用の共通後段部５１−１，５１−２（図２）を設ける必要がなく、１つの共通後段部５１を設ければよい。これにより、誤り訂正部１４の回路規模を小さくすることができる。
【０１１９】
＜４．第４の実施の形態＞
［復調処理部の構成（第３の構成）］
図６は、復調処理部の第３の構成を示す図である。
【０１２０】
なお、図６の復調処理部において、図５の復調処理部と同様の箇所には同一の符号が付してあり、その説明は適宜省略する。
【０１２１】
図６において、コントローラ１０及び誤り訂正部１４は、図５のコントローラ１０及び誤り訂正部１４と同様の構成を有している。また、図６において、復調部１３は、図５の復調部１３と比べて、シングルキャリア復調部４２−１及びマルチキャリア復調部４２−２の代わりに、共通復調フロントエンド部４４、シングルキャリア復調バックエンド部４５−１、及びマルチキャリア復調バックエンド部４５−２が設けられている。
【０１２２】
共通復調フロントエンド部４４は、先に述べたシングルキャリア復調部４２−１とマルチキャリア復調部４２−２で行われる復調処理のうち、例えば同期処理等の共通の復調処理を行う。すなわち、共通復調フロントエンド部４４は、チューナ１２から供給された入力信号に対して、復調制御部３１の制御にしたがってシングルキャリアとマルチキャリアにおける共通の復調処理を行い、それにより得られたデータを、切替部４１に供給する。
【０１２３】
切替部４１は、共通復調フロントエンド部４４から供給されたデータの出力先を、復調制御部３１による制御にしたがって切り替える。すなわち、切替部４１は、シングルキャリア復調を試行する場合、スイッチ４１Ａを端子４１Ｂ側に接続し、共通復調フロントエンド部４４から供給されたデータを、シングルキャリア復調バックエンド部４５−１に出力する。また、切替部４１は、マルチキャリア復調を試行する場合、スイッチ４１Ａを端子４１Ｃ側に接続し、共通復調フロントエンド部４４から供給されたデータを、マルチキャリア復調バックエンド部４５−２に出力する。
【０１２４】
シングルキャリア復調バックエンド部４５−１は、先に述べたシングルキャリア復調部４２−１とマルチキャリア復調部４２−２で行われる復調処理のうち、例えば等化処理等のシングルキャリア復調部４２−１における固有の復調処理を行う。すなわち、シングルキャリア復調バックエンド部４５−１は、切替部４１から供給されたデータに対して、復調制御部３１の制御にしたがってシングルキャリア固有の復調処理を行い、それにより得られたデータを、セレクタ４３に出力する。
【０１２５】
マルチキャリア復調バックエンド部４５−２は、先に述べたシングルキャリア復調部４２−１とマルチキャリア復調部４２−２で行われる復調処理のうち、例えば等化処理等のマルチキャリア復調部４２−２における固有の復調処理を行う。マルチキャリア復調バックエンド部４５−２は、切替部４１から供給されたデータに対して、復調制御部３１の制御にしたがってマルチキャリア固有の復調処理を行い、それにより得られたデータを、セレクタ４３に出力する。
【０１２６】
セレクタ４３は、SIロック判定部３６から供給されるキャリア選択信号に応じて、シングルキャリア復調バックエンド部４５−１又はマルチキャリア復調バックエンド部４５−２の出力のうち、復調の試行に成功した一方の出力を、後段の誤り訂正部１４に出力する。
【０１２７】
以上のように、第４の実施の形態では、シングルキャリア復調とマルチキャリア復調について、共通の復調処理と、シングルキャリア固有の復調処理と、マルチキャリア固有の復調処理とに処理を分けることで、共通となる復調処理を行う部分をまとめることができる。そのため、誤り訂正部１４の回路規模のみならず、復調部１３の回路規模についても小さくすることができる。
【０１２８】
また、シングルキャリア方式とマルチキャリア方式の両キャリア方式で復調を同時に行う方法は、同時に復調を試すので、はやくキャリア方式を検出することはできるが、復調回路を二重に持つことになるため、回路規模が増大してしまうことになる。本実施の形態では、共通可能な部分をまとめることで、回路規模を抑えた上で、迅速にキャリア方式を検出することができる。
【０１２９】
＜５．変形例＞
上述した実施の形態においては、復調部１３と、復調部１３を制御するコントローラ１０とは別々に構成されるとして説明したが、コントローラ１０が有する復調制御機能を復調部１３が備えるようにしてもよい。すなわち、上述した実施の形態では、図３及び図４の復調試行処理は、コントローラ１０及び復調部１３により実行されるとして説明したが、この復調試行処理は、復調部１３と、コントローラ１０が有する復調制御機能（復調制御部３１乃至セレクタ３５）とを備える復調装置（復調LSI）によって実行されると捉えることも可能である。また、この復調装置には、誤り訂正部１４の他、A/D変換部（不図示）などが含まれてもよい。
【０１３０】
また、上述した実施の形態において、共通後段部５１，５１−１，５１−２からのTSロック信号によって、共通後段部５１などで実行された誤り訂正等の処理が成功した否かを判定するとして説明したが、TSロック信号の代わりに、例えば、BER（Bit Error Ratio）に関する情報を用いてもよい。すなわち、例えば、復号された（誤り訂正された）誤り符号の数を、復号された（誤り訂正された）符号の総数で割ることでBERを求めて、そのBERが所定の閾値以下になるか否かを判定することで、誤り訂正等の処理が成功した否かを判定することができる。
【０１３１】
また、上述した実施の形態において、C_start，C1_max，C3780_max，C_maxなどのパラメータは、変更可能に設定され、パラメータ記憶部３２に記憶されるとして説明した。このパラメータを記憶させる方法としては、例えば、いわゆる工場出荷時設定によって地域ごとに適切なパラメータを設定したり、ユーザが手動で設定したりすることができる。
【０１３２】
［本発明を適用したコンピュータの説明］
ところで、上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、又は、各種のプログラムをインストールすることで、各種の機能を実行することが可能な、例えば汎用のパーソナルコンピュータ等に、プログラム記録媒体からインストールされる。
【０１３３】
図７は、上述した一連の処理をプログラムにより実行するコンピュータの構成の例を示す図である。
【０１３４】
このコンピュータ１００において、CPU（Central Processing Unit）１０１，ROM（Read Only Memory）１０２，RAM（Random Access Memory）１０３は、バス１０４により相互に接続されている。
【０１３５】
バス１０４には、さらに、入出力インタフェース１０５が接続されている。入出力インタフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、又は半導体メモリなどのリムーバブルメディア１１１を駆動するドライブ１１０が接続されている。
【０１３６】
以上のように構成されるコンピュータ１００では、CPU１０１が、例えば、記憶部１０８に記憶されているプログラムを、入出力インタフェース１０５及びバス１０４を介して、RAM１０３にロードして実行することにより、上述した一連の処理が行われる。
【０１３７】
なお、コンピュータが実行するプログラムを記述するステップは、記載された順序に沿って時系列的に行われる処理はもちろん、必ずしも時系列的に処理されなくとも、並列的あるいは個別に実行される処理をも含むものである。
【０１３８】
また、本発明の実施の形態は、上述した実施の形態に限定されるものではなく、本発明の要旨を逸脱しない範囲において種々の変更が可能である。
【符号の説明】
【０１３９】
１  受信装置，  １０  コントローラ，  １１  アンテナ，  １２  チューナ，  １３  復調部，  １４  誤り訂正部，  １５  デコーダ，  １６  出力部，  ３１  復調制御部，  ３２  パラメータ記憶部，  ３３，３６  SIロック判定部，  ３４  TSロック判定部，  ３５  セレクタ，  ４１  切替部，  ４２−１  シングルキャリア復調部，  ４２−２  マルチキャリア復調部，  ４３  セレクタ，  ４４  共通復調フロントエンド部，  ４５−１  シングルキャリア復調バックエンド部，  ４５−２  マルチキャリア復調バックエンド部，  ５１，５１−１，５１−２  共通後段部，  ５２  セレクタ，  １００  コンピュータ，  １０１  CPU
【図１】
0005720927.tif 000002
【図２】
0005720927.tif 000003
【図３】
0005720927.tif 000004
【図４】
0005720927.tif 000005
【図５】
0005720927.tif 000006
【図６】
0005720927.tif 000007
【図７】
0005720927.tif 000008